(57)【要約】  【課題】  書き込み禁止タブがはずれにくく、且つ組立て易いメモリカードを提供する。  【解決手段】  射出成形で一体に形成した本体の長手方向の一方の側縁部に切り欠き溝を形成し、該切り欠き溝内には上下両面にそれぞれ係合溝を形成して端縁部が凸状を呈するガイドレールを形成するとともに、断面が略コの字状を呈し、該ガイドレールの凸状の端縁部に対応する上下面にそれぞれガイド溝を形成し、且つガイド溝の該ガイドレールの係合溝に対応する上下それぞれの位置に係合部を一体に形成した書き込み禁止タブを該ガイドレールに設ける。【選択図】  図１
0003111490.tif 000002
【実用新案登録請求の範囲】
【請求項１】
射出成形で一体に形成した本体に書き込み禁止タブを設けてなるメモリカードであって、
該本体は、長手方向の一方の側縁部に切り欠き溝を形成し、該切り欠き溝内には該書き込み禁止タブを嵌め込むガイドレールを形成し、該ガイドレールの上下両面にはそれぞれ係合溝を形成して端縁部を凸状にし、
該書き込み禁止タブは、断面が略コの字状を呈し、ガイドレールの凸状の端縁部に対応する上下面にはそれぞれガイド溝を形成し、且つガイド溝は、ガイドレールの係合溝に対応する上下それぞれの位置に係合部を一体に形成することを特徴とするメモリカード。
【請求項２】
前記ガイドレールの長さが、該書き込み禁止タブより長いことを特徴とする請求項１に記載のメモリカード。
【請求項３】
前記ガイドレールの前端の上下端縁部にガイド部を形成することを特徴とする請求項１に記載のメモリカード。
【請求項４】
前記書き込み禁止タブの外側面に、凸凹の鋸刃状の滑り止め模様を形成することを特徴とする請求項１に記載のメモリカード。
【請求項５】
前記書き込み禁止タブの外側面に、突出した凸部を形成することを特徴とする請求項１に記載のメモリカード。
【考案の詳細な説明】
【技術分野】
【０００１】
この考案は、簡易な構造で容易に組立てることができ、部材が外れにくいメモリカードの構造に関する。
【背景技術】
【０００２】
科学技術の進歩と、情報産業の発達にともない、電子製品の発展には日進月歩の感がある。その中に在ってメモリカードは、目下最も便利なデータ保存用製品となっている。メモリカードの使用範囲はかなり広く、ディジタルカメラ、ディジタルビデオカメラなどのハイテク機器に応用されている。
【０００３】
市場におけるメモリカードの規格は統一されておらず、各メーカーで異なっている。また、フォーマットの大きさにより各種異なるメモリカードが販売されている。例えばＸＤ、MMSD、ＳＤ、ＭＭＣなどのメモリカードは、薄くて軽く、小さいだけでなく、互換性が高い、コストが安い、保存容量が大きい、伝達速度が速い、機密性など多くの特性を具えている。
【０００４】
メモリカードは電子デバイス、或いはカードリーダを介してデータの読み取りや書き込みを行う。よって、予期せずメモリカードが読み取られたり、或いは書き込まれたりすることがある。このため、メモリカードの多くには、書き込み禁止タブが設けられている。従来の書き込み防止装置は、超音波加工技術を応用して本体に固定する。但し、係る方式は書き込み禁止タブがメモリカードを密封することができない場合がある。よって、書き込み禁止タブがメモリカードから外れることがある。このような場合、書き込み禁止タブ本来の効果を得ることができない。
【考案の開示】
【考案が解決しようとする課題】
【０００５】
この考案は、外れにくい書き込み禁止タブを具え、予期せず誤って書き込みされることを確実に防ぐメモリカードを提供することを課題とする。
【課題を解決するための手段】
【０００６】
そこで本考案者は、従来の技術に鑑み鋭意研究を重ねた結果、射出成形で一体に形成した本体の長手方向の一方の側縁部に切り欠き溝を形成し、該切り欠き溝内には上下両面にそれぞれ係合溝を形成して端縁部が凸状を呈するガイドレールを形成するとともに、断面が略コの字状を呈し、該ガイドレールの凸状の端縁部に対応する上下面にそれぞれガイド溝を形成し、且つ該ガイド溝の該ガイドレールの係合溝に対応する上下それぞれの位置に係合部を一体に形成した書き込み禁止タブを該ガイドレールに設けてなるメモリカードの構造によって課題を解決できる点に着眼し、係る知見に基づき本考案を完成させた。
以下、この考案について具体的に説明する。
【０００７】
請求項１に記載するメモリカードは、射出成形で一体に形成した本体に書き込み禁止タブを設けてなるメモリカードであって、
該本体は、長手方向の一方の側縁部に切り欠き溝を形成し、該切り欠き溝内には該書き込み禁止タブを嵌め込むガイドレールを形成し、該ガイドレールの上下両面にはそれぞれ係合溝を形成して端縁部を凸状にし、
該書き込み禁止タブは、断面が略コの字状を呈し、ガイドレールの凸状の端縁部に対応する上下面にはそれぞれガイド溝を形成し、且つガイド溝は、ガイドレールの係合溝に対応する上下それぞれの位置に係合部を一体に形成する。
【０００８】
請求項２に記載するメモリカードは、請求項１におけるガイドレールの長さが、該書き込み禁止タブより長い。
【０００９】
請求項３に記載するメモリカードは、請求項１におけるガイドレールの前端の上下端縁部にガイド部を形成する。
【００１０】
請求項４に記載するメモリカードは、請求項１における書き込み禁止タブの外側面に、凸凹の鋸刃状の滑り止め模様を形成する。
【００１１】
請求項５に記載するメモリカードは、請求項１における書き込み禁止タブの外側面に、突出した凸部を形成する。
【考案の効果】
【００１２】
本考案のメモリカードは、書き込み禁止タブが外れにくく、メモリカードに予期せず書き込みが行われることを確実に防ぐとともに、組立てが容易であるため歩止りを高め、延いては生産コストを低減させるという利点がある。
【考案を実施するための最良の形態】
【００１３】
この考案は、メモリカードの改良構造を提供するものであって、射出成形で一体に形成した本体の長手方向の一方の側縁部に切り欠き溝を形成し、該切り欠き溝内には上下両面にそれぞれ係合溝を形成して端縁部が凸状を呈するガイドレールを形成するとともに、断面が略コの字状を呈し、該ガイドレールの凸状の端縁部に対応する上下面にそれぞれガイド溝を形成し、且つ該ガイド溝の該ガイドレールの係合溝に対応する上下それぞれの位置に係合部を一体に形成した書き込み禁止タブを該ガイドレールに設けることによって、書き込み禁止タブを外れにくくするとともに、組立てを容易にするといった目的を達成する。
かかるメモリカードの構造と特徴を詳述するために具体的な実施例を挙げ、図示を参照にして以下に説明する。
【実施例】
【００１４】
メモリカード本体１０は射出成形で一体に形成してなり、図１、図２に開示するように、長手方向の一方の側縁部に切り欠き溝１１を形成する。該切り欠き溝１１内には外方向にせり出すようにガイドレール１２を形成し、ガイドレール１２は上下両面の対応する位置に係合溝１３を形成して端縁部が凸状を呈するようにする。
【００１５】
該ガイドレール１２には書き込み禁止タブ２０を嵌めこみ摺動自在に設ける。書き込み禁止タブ２０は、断面が略コの字状を呈し、ガイドレール１２の凸状の端縁部に対応する上下面にはそれぞれガイド溝２１を形成し、且つガイド溝２１は、ガイドレール１２の係合溝１３に対応する上下それぞれの位置に係合部２２を一体に形成する。また書き込み禁止タブ２０は長さをガイドレール１２より短くする。
【００１６】
書き込み禁止タブ２０をガイドレール１２に嵌めこむ場合、図３に開示するように、ガイド溝２１をガイドレール１２に向けて書き込み禁止タブ２０を押圧して、ガイド溝２１にガイドレール１２を嵌め込む。よって、ガイド溝２１内の上下両面に形成した係合部２２がガイドレール１２の上下両面に形成した係合溝１３に係合し、書き込み禁止タブ２０はガイドレール１２に安定して嵌めこまれ、外れることがない。
【００１７】
また、書き込み禁止タブ２０をガイドレール１２にスムーズに嵌め込むために、ガイドレール１２は前端の上下端縁部を面取りし、それぞれガイド部１４を形成する。よって、書き込み禁止タブ２０をガイド溝２１からガイドレール１２に嵌挿する場合、該ガイド部１４によってガイド溝２１の開口部が上下に広がり、ガイドレール１２に嵌めこまれ、ガイド溝２１の係合部２２が係合溝１３の位置に到ると、係合部２２は書き込み禁止タブ２０自身の付勢力によって弾性的に本来の位置に復帰して係合溝１３の位置に係合する。このため書き込み禁止タブ２０がガイドレール１２上に確実に嵌めこまれ、外れ難くなる。
【００１８】
また、図４に開示するように、書き込み禁止タブ２０をガイドレール１２に嵌めこんだ場合、ガイドレール１２は書き込み禁止タブ２０に比べて長いため、ガイドレール１２上における書き込み禁止タブ２０の位置を前後に移動させて適切な位置に調整することができる。このため電子デバイス、或いはカードリーダは、書き込み禁止タブ２０の位置を読み取り、メモリカード本体１０が書き込める状態であるか、或いは書き込み防止状態であるかを判断することができる。即ち、簡単な位置調整の操作でメモリカード本体１０に不必要なデータが予期せず書き込まれることを防ぐことができる。
【００１９】
この考案によるメモリカードは射出成形で一体に形成するため、製造加工が便利であるとともに、人的作業の煩雑な手間を減少させることができるとともに、人的なミスや不具合を低減させ、品質、生産能力を高め、コストを節減する効果を有する。また、書き込み禁止タブとメモリカードは簡単な構造で組み合わせることができるため、すばやく組み合わせることができる効果を有するとともに、書き込み禁止タブとメモリカードが確実に嵌めこまれ、外れ難くなる。
【００２０】
また、ガイドレール１２上における書き込み禁止タブ２０の位置調整の便宜を図るために、書き込み禁止タブ２０の外側面に凸凹の鋸刃状を呈する滑り止め模様２３を形成するか、或いは図５に開示するように、突出した凸部２４を設け、摩擦力を増加するようにしてもよい。これらを形成することによって書き込み禁止タブ２０をスムーズに移動させることができる。
【００２１】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２２】
【図１】この考案のメモリカードの斜視図である。
【図２】図１に開示したメモリカード本体と書き込み禁止手部とを分解した状態を示した説明図である。
【図３】図１に開示したメモリカードの一部きり欠き断面図である。
【図４】この考案のメモリカードの書き込み禁止タブを示した説明図である。
【図５】この考案のメモリカードの書き込み禁止タブの他の実施形態を示した説明図である
【符号の説明】
【００２３】
１０            メモリカード
１１            切り欠き溝
１２            ガイドレール
１３            係合溝
１４            ガイド部
２０            書き込み禁止タブ
２１            ガイド溝              
２２          係合部
２３          滑り止め模様
２４          凸部
【図１】
0003111490.tif 000003
【図２】
0003111490.tif 000004
【図３】
0003111490.tif 000005
【図４】
0003111490.tif 000006
【図５】
0003111490.tif 000007